(57)【特許請求の範囲】
【請求項１】
楽器本体の鍵盤を含む演奏部を開閉するための鍵盤楽器の鍵盤蓋装置であって、
前記楽器本体に回動自在に取り付けられた支持部材と、
この支持部材に支持され、当該支持部材の後方への回動に連動して後方に回動することにより、前記演奏部の前部を開放する前鍵盤蓋と、
前記楽器本体上に前後方向に摺動自在に載置され、前記前鍵盤蓋の後端部に回動自在に連結されるとともに、前記支持部材の後方への回動に連動して前記楽器本体上を後方に摺動することにより、前記演奏部の後部を開放する後鍵盤蓋と、を備え、
前記前後の鍵盤蓋の少なくとも一方は、前記後鍵盤蓋の前記前鍵盤蓋に対する回動角度を所定角度に規制する蓋ストッパを有していることを特徴とする鍵盤楽器の鍵盤蓋装置。
【発明の詳細な説明】
【０００１】
【発明の属する技術分野】
本発明は、電子オルガンなどの演奏部を開閉する鍵盤楽器の鍵盤蓋装置に関する。
【０００２】
【従来の技術】
従来、このような鍵盤楽器の鍵盤蓋として図９に示すものが知られている。同図に示すように、鍵盤蓋装置７０は、前後（図中の左右方向）２段の鍵盤７２，７２を備えた電子オルガン７１に適用したものであり、蛇腹式の鍵盤蓋７３を備えている。この鍵盤蓋７３は、左右方向（図中の奥行方向）に延びる板状の８個の蓋部材７３ａを前後に連結したものであり、前後にスライドすることによって電子オルガン７１の鍵盤７２，７２を含む演奏部７４を開閉する。また、電子オルガン７１のケース７１ａの左右の内側面には、鍵盤蓋７３のスライドを案内するガイドレール７５，７５が設けられており（１つのみ図示）、各ガイドレール７５は、電子オルガン７１の前端部から上方に延び、さらに斜め後上がりに延び、その後端が水平になるように湾曲するとともに、下方に湾曲し、さらに下方に延びている。
【０００３】
また、ケース７１ａの左右の内側面には、鍵盤蓋７３を格納するための左右の格納部７７，７７がそれぞれ設けられている（１つのみ図示）。各格納部７７は、上記ガイドレール７５の後半部と、これに沿って下方に湾曲し、さらに下方に延びるガイドレール７６とで構成されている。電子オルガン７１を使用する場合、鍵盤蓋７３を後方に押すと、鍵盤蓋７３はガイドレール７５，７６に案内されて後方に移動し、さらに下方に移動して格納部７７に格納される。これにより、演奏部７４が開放される。また、電子オルガン７１の不使用時には、これとは逆に、鍵盤蓋７３を手前に引き出し、演奏部７４を閉鎖する。
【０００４】
【発明が解決しようとする課題】
近年では、国内の住宅事情による設置スペースの確保の観点から、鍵盤楽器の薄型化・小型化が要求されている。しかし、上記従来の鍵盤蓋装置７０によれば、蛇腹式の鍵盤蓋７３を格納するために、格納部７７などの格納スペースを電子オルガン７１内に設ける必要があるので、その格納スペースの分だけケース７１ａの奥行が大きくなり、その分、電子オルガン７１が大型化してしまう。また、鍵盤蓋７３の開閉の際に、鍵盤蓋７３がケース７１ａ内の湾曲したガイドレール７５，７６によって案内されることや、鍵盤蓋７３の押し引き操作により開閉するので、左右方向に沿った姿勢から傾きやすいことなどにより、鍵盤蓋７３がガイドレール７５，７６間やケース７１ａに引っかかることがある。このため、鍵盤蓋７３をスムーズに開閉できず、使い勝手がよくない。
【０００５】
本発明は、上記課題を解決するためになされたもので、鍵盤楽器の薄型化・小型化を図ることができ、スムーズに開閉でき、使い勝手を向上させることができる鍵盤楽器の鍵盤蓋装置を提供することを目的とする。
【０００６】
【課題を解決するための手段】
請求項１に係る発明は、楽器本体の鍵盤を含む演奏部を開閉するための鍵盤楽器の鍵盤蓋装置であって、楽器本体に回動自在に取り付けられた支持部材と、この支持部材に支持され、当該支持部材の後方への回動に連動して後方に回動することにより、演奏部の前部を開放する前鍵盤蓋と、楽器本体上に前後方向に摺動自在に載置され、前鍵盤蓋の後端部に回動自在に連結されるとともに、支持部材の後方への回動に連動して楽器本体上を後方に摺動することにより、演奏部の後部を開放する後鍵盤蓋と、を備え、前後の鍵盤蓋の少なくとも一方は、後鍵盤蓋の前鍵盤蓋に対する回動角度を所定角度に規制する蓋ストッパを有していることを特徴とする。
【０００７】
この鍵盤楽器の鍵盤蓋装置によれば、支持部材の後方への回動に連動して、前鍵盤蓋が後方に回動することにより演奏部の前部を開放し、後鍵盤蓋が楽器本体上を後方に摺動することにより演奏部の後部を開放する。このように、前鍵盤蓋の回動と後鍵盤蓋の楽器本体上の摺動とによって演奏部が開放されるので、従来の鍵盤蓋装置と異なり、楽器本体内に鍵盤蓋を格納するためのスペースが不要になる。これによって、鍵盤楽器の奥行を小さくし、薄型化・小型化を図ることができる。また、同様の理由により、鍵盤蓋を従来の２つのガイドレール間に格納するものと異なり、前後の鍵盤蓋をスムーズに開閉することができ、使い勝手を向上させることができる。さらに、鍵盤蓋を前後に２分割しているので、演奏部の前後長さが比較的、長い場合でも、演奏部を開閉する際の前鍵盤蓋の回動スペースを小さくすることができる。これに加えて、後鍵盤蓋は、蓋ストッパによって前鍵盤蓋に対する回動角度が所定角度に規制されるので、後鍵盤蓋が所定角度以上に大きく開放されることがなくなる。また、この所定角度を、前後の鍵盤蓋が演奏部を閉鎖している状態から後鍵盤蓋だけを開放しても、これから手を放すと自重で閉まるような角度に設定すれば、後鍵盤蓋の開きっぱなしを防止できることで、演奏部を保護する機能を確保できる。
【００１０】
【発明の実施の形態】
以下、添付図面を参照しながら、本発明の第１実施形態に係る鍵盤楽器の鍵盤蓋装置について説明する。図１および図２は、本実施形態の鍵盤蓋装置１を適用した鍵盤楽器としての電子オルガン２を示している。この電子オルガン２は、楽器本体としてのオルガン本体３と、オルガン本体３に取り付けられ、演奏部９を開閉するための鍵盤蓋装置１とを備えている。オルガン本体３は、鋼材や合成樹脂板などを組み立てることにより製作され、操作パネル４およびその後側の背面パネル５と、これらの外側に前後方向に延びる腕木６，６（１つのみ図示）とを有している。
【００１１】
操作パネル４は、背面パネル５の前端部から斜め前下がりに前方に延びるとともに、その左右の前端部からより緩い傾斜で斜め前下がりに所定幅でさらに延びており、この部分が左右の拍子木部４ａ，４ａになっている。左右の拍子木部４ａ，４ａ間には、前後２段の鍵盤７，７が配置されており、これらの鍵盤７，７は、ともに左右方向に延びるように配列されている。また、操作パネル４には、多数のスイッチ８が設けられており、これらのスイッチ８を操作することによって、鍵盤７が押鍵されたときにオルガン本体３内の音響装置から発生する音の音色などが調節される。上記演奏部９は、これらの鍵盤７およびスイッチ８などによって構成されている。また、背面パネル５は、操作パネル４の後端部に連続して斜め後下がりに折れ曲がって延びるとともに、その途中に段部を有し、さらに斜め後下がりに延びている。
【００１２】
図１〜図３に示すように、鍵盤蓋装置１は、オルガン本体３に回動自在に取り付けられた支持部材としての左右の支持アーム１０，１０と、これらの支持アーム１０，１０の前端部に取り付けられた前鍵盤蓋１１と、この前鍵盤蓋１１の後端部に連結された後鍵盤蓋１２とを備えている。図２に示すように、前後の鍵盤蓋１１，１２は、演奏部９を閉鎖しているときに、互いに一直線状に斜め前下がり延びるとともに、その状態でオルガン本体３上に載置されている。
【００１３】
各支持アーム１０は腕木６の内面に沿って配置され、その後端部が回動軸１３に連結されている（図１参照）。回動軸１３は、オルガン本体３内のはりに設けられた軸受１３ａに図示しないダンパ機構を介して、支持されている。回動軸１３は、この軸受１３ａによって、左右方向に沿う回動軸線回りに回動自在に支持され、その回動時に、ダンパ機構によって減速される。さらに、各腕木６の内面には、内方に突出するアームストッパ１４が設けられており、支持アーム１０は、後方に回動したときに、アームストッパ１４に上方から当接することによって、図４および図５の実線で示す開放位置で制止される。以上の構成によって、支持アーム１０は、図５の２点鎖線で示す閉鎖位置と実線で示す開放位置との間で回動自在である。
【００１４】
また、図３に示すように、支持アーム１０の前端部には、連結アダプタ１５を介して前鍵盤蓋１１が取り付けられており、連結アダプタ１５は、ヒンジ１７を介して互いに回動自在に連結された前後対称の前後の連結部１６，１６を備えている。各連結部１６は、互いに平行に延びる上中下３つの壁１６ａ，１６ｂ，１６ｃを有する断面「ヨ」字状のアルミ押出成形材で構成され、図示しないが、左右方向（図３の奥行方向）に延びている。前連結部１６の下壁１６ｃの下面には、譜面受け１６ｄが折り畳み自在に取り付けられている。譜面受け１６ｄは、その先端が直角に折れ曲がっており、下壁１６ｃの下面からほぼ直角に起こした状態で使用されるとともに、非使用時には、下壁１６ｃに沿って折り畳まれる。
【００１５】
一方、前鍵盤蓋１１は、左右の腕木６，６間の寸法にほぼ等しい幅と所定の奥行とを有するアクリル板で構成され、その後端部は、連結アダプタ１５の前連結部の上壁１６ａと中壁１６ｂの間に差し込まれた状態で、これに固定されている。前鍵盤蓋１１の裏面の前端左右角部には、クッション１１ａ，１１ａが取り付けられている（１つのみ図示）。各クッション１１ａは、弾性変形可能な合成樹脂で構成されており、前鍵盤蓋１１が演奏部９を閉鎖している状態では、拍子木部４ａの上面に上方から当接する。また、クッション１１ａは、前鍵盤蓋１１が演奏部９を閉鎖する際に、拍子木部４ａに当接して弾性変形することにより、その衝撃を吸収する。
【００１６】
また、後鍵盤蓋１２は、上記前鍵盤蓋１１と同じ幅で、これよりも短く、図２に示すように、演奏部９を開放したときに、オルガン本体３から後方にはみ出さないような所定の奥行を有している。さらに、後鍵盤蓋１２は、上板１２ａと、上板１２ａの裏面に取り付けられたスライド板１２ｂとを備えている。上板１２ａは、アクリルで構成され、その前端部が、上記連結アダプタ１５の後連結部１６の上壁１６ａと中壁１６ｂの間に差し込まれた状態で、これに固定されている。スライド板１２ｂは、ウレタンで構成され、その下面に図示しないフッ素樹脂テープが貼り付けられている。図５に示すように、後鍵盤蓋１２は、操作パネル４および背面パネル５上を摺動する際に、そのフッ素樹脂テープが両パネル４，５に接することによって、両パネル４，５上をスムーズに摺動する。
【００１７】
以上のように構成された本実施形態の鍵盤蓋装置１の開閉動作について説明する。電子オルガン２を使用しない場合、鍵盤蓋装置１は、図２および図３に示すような閉鎖状態とされ、この閉鎖状態では、支持アーム１０は閉鎖位置にあり、前後の鍵盤蓋１１，１２は、互いに一直線状に斜め前下がりに延びるとともに、演奏部９の前後部をそれぞれ閉鎖している。
【００１８】
電子オルガン２を使用するために、図５に示すように、閉鎖状態の前鍵盤蓋１１を上方に持ち上げると、支持アーム１０とともに前鍵盤蓋１１が上方に回動する。これに連動して、後鍵盤蓋１２は、操作パネル４の上を後方に摺動する。さらに、支持アーム１０が後方に回動すると、後鍵盤蓋１２は、操作パネル４の上端部を乗り越え、背面パネル５上を下方に摺動する。その後、支持アーム１０が図５の実線で示す開放位置まで回動すると、支持アーム１０はアームストッパ１４によって開放位置に制止される（図４参照）。このとき、支持アーム１０は、軸受１３ａのダンパ機構によって減速されることにより、アームストッパ１４に緩やかに制止される。また、前鍵盤蓋１１は斜め後上がりの状態に保持され、後鍵盤蓋１２は、その後端部が背面パネル５に当接し、斜め後ろ下がりの状態になる。このとき、図４に示すように、前鍵盤蓋１１は、譜面受け１６ｄとともに譜面台を構成する。以上によって、演奏部９が開放され、電子オルガン２が演奏可能になる。
【００１９】
また、上記とは逆に、開放状態の前鍵盤蓋１１を前方に倒すと、支持アーム１０とともに前鍵盤蓋１１が前方に回動する。これに連動して、後鍵盤蓋１２は、背面パネル５の上端部を乗り越えるように、その上を前方に摺動する。この後、支持アーム１０が図３の実線で示す閉鎖位置まで回動すると、前鍵盤蓋１１は、その前端部のクッション１１ａが拍子木部４ａに当接した状態で、演奏部９の前部を閉鎖する。このとき、前鍵盤蓋１１は、ダンパ機構によって減速され、緩やかに回動して閉鎖する。これと同時に、後鍵盤蓋１２が演奏部９の後部を閉鎖する。以上によって、演奏部９が閉鎖される。
【００２０】
以上詳述したように、本実施形態の鍵盤蓋装置１によれば、前鍵盤蓋１１は、支持アーム１０とともに後方に回動することにより演奏部９の前部を開放する。これと同時に、この前鍵盤蓋１１の回動に伴い、後鍵盤蓋１２が操作パネル４および背面パネル５上を後方に摺動し、演奏部９の後部を開放する。このように、前鍵盤蓋１１の回動と後鍵盤蓋１２の摺動とによって演奏部９が開放されるので、従来と異なり、オルガン本体３内に前後の鍵盤蓋１１，１２を格納するためのスペースが不要になる。これによって、電子オルガン２の奥行を小さくし、薄型化・小型化を図ることができる。また、同様の理由により、従来の鍵盤蓋を２つのガイドレール間に格納するものと異なり、前後の鍵盤蓋１１，１２をスムーズに開閉することができ、使い勝手を向上させることができる。さらに、鍵盤蓋が前後の鍵盤蓋１１，１２に２分割されているので、演奏部９の前後長さが比較的、長い場合でも、演奏部９を開放する際の前鍵盤蓋１１の回動スペースを小さくすることができる。
【００２１】
次に、本発明の第２実施形態に係る鍵盤楽器の鍵盤蓋装置について説明する。図６に示すように、本実施形態の鍵盤蓋装置１は、第１実施形態の鍵盤蓋装置１と比べて、前後の鍵盤蓋１１，１２に前後一対の蓋ストッパ２０，２０がそれぞれ設けられている点のみが異なり、その他は同様に構成されている。前後の蓋ストッパ２０，２０はそれぞれアルミ押出成形により前後の連結部１６，１６と一体に形成され、連結アダプタ１５の前後の連結部１６，１６の表面にそれぞれ一対に配置されているとともに、ヒンジ１７を間にして互い対峙するように線対称の同じ断面形状で設けられている。また、蓋ストッパ２０は、図示はしないが左右方向（図中の奥行方向）に延びている。より具体的には、前蓋ストッパ２０は、前連結部１６の後端部から湾曲するように表側に突出し、その先端がヒンジ１７側にほぼ垂直に折れ曲がっている。
【００２２】
図６に示すように、前後の鍵盤蓋１１，１２がそれぞれ演奏部９を閉鎖している状態では、前後の蓋ストッパ２０，２０は、所定の間隔で対峙している。この状態から後鍵盤蓋１２を手で前方に回動させると、図中に２点鎖線で示すように、後鍵盤蓋１２が所定角度、回動した位置で、後蓋ストッパ２０が前蓋ストッパ２０に当接することにより、後鍵盤蓋１２が制止される。この所定角度は、制止された状態の後鍵盤蓋１２が鉛直線よりも後方に傾くようなものに設定されており、それゆえ、手を放すと、後鍵盤蓋１２が自重で下方に回動することによって、演奏部９が閉鎖される。
【００２３】
さらに、図７に示すように、支持アーム１０が閉鎖位置から開放位置まで回動し、アームストッパ１４に制止された場合、後鍵盤蓋１２は、前鍵盤蓋１１との角度が上記所定角度よりも小さい状態で、その後端部が背面パネル５に当接する。この状態から、後鍵盤蓋１２を上方に回動させようとしても、後蓋ストッパ２１が前蓋ストッパ２０にすぐ当接することにより、後鍵盤蓋１２は、その上方への回動が制止され、図中に示す斜め後ろ下がりの状態に保持される。
【００２４】
以上のように、本実施形態の鍵盤蓋装置１によれば、前後の鍵盤蓋１１，１２がそれぞれ演奏部９を閉鎖している場合、後鍵盤蓋１２を前方に回動させても、後蓋ストッパ２０が前蓋ストッパ２１に当接することによって、後鍵盤蓋１２は所定角度、回動した位置で制止される。この制止状態の後鍵盤蓋１２は、鉛直線よりも後方に傾いており、手を放すと、その位置から自重で下方に回動し演奏部９を閉鎖する。したがって、後鍵盤蓋１２の開きっぱなしを防止できることで、演奏部９を保護する機能を確保できる。
【００２５】
次に、本発明の第３実施形態に係る鍵盤楽器の鍵盤蓋装置について説明する。図８に示すように、本実施形態の鍵盤蓋装置１は、上記第２実施形態の鍵盤蓋装置１と比べて、前後の蓋ストッパ２０，２０に代えて蓋ストッパ３０が後鍵盤蓋１２に設けられている点のみが異なり、その他は同様に構成されている。図示しないが、蓋ストッパ３０は、後鍵盤蓋１２の裏面の左端部（または右端部）に設けられており、鋼板を曲げ加工したストッパ本体３１と、ストッパ３１の先端部に取り付けられたクッション３２とで構成されている。ストッパ本体３１は、後連結部１６の下壁１６ｃにねじ止めされ、その先端部は、下壁１６ｃの裏面から斜め下がりに延び、さらに後鍵盤蓋１２と平行に延びている。また、クッション３２は、合成ゴムで構成されている。
【００２６】
さらに、図８（ａ）に示すように、前後の鍵盤蓋１１，１２がそれぞれ演奏部９を閉鎖している状態では、蓋ストッパ３０は、操作パネル４と所定の間隔を保っている。この状態から後鍵盤蓋１２を手で前方に回動させると、図中に実線で示すように、後鍵盤蓋１２が所定角度、回動した位置で、蓋ストッパ３０が操作パネル４に当接することにより、後鍵盤蓋１２が制止される。この所定角度は、前記と同様に、制止された状態の後鍵盤蓋１２が鉛直線よりも後方に傾くようなものに設定されており、それゆえ、手を放すと、後鍵盤蓋１２が自重で下方に回動することによって、演奏部９が閉鎖される。
【００２７】
以上のように、本実施形態の鍵盤蓋装置１においても、上記第２実施形態の鍵盤蓋装置１と同様に、後鍵盤蓋１２の開きっぱなしを防止できることで、演奏部９を保護する機能を確保できる。
【００２８】
なお、前述した各実施形態においては、本発明の鍵盤蓋装置を電子オルガン２に適用した例について説明したが、鍵盤蓋装置を適用する対象はこれに限らず、例えばシンセサイザや生楽器のオルガンなどでもよく、鍵盤楽器であればよい。また、前後の蓋ストッパ２０，２０を前後の鍵盤蓋１１，１２にそれぞれ設けたり、蓋ストッパ３０を後鍵盤蓋１２に設けたりしたが、蓋ストッパは、前鍵盤蓋１１に設けてもよく、前後の鍵盤蓋１１，１２が閉鎖されているときに、前鍵盤蓋１１に対する後鍵盤蓋１２の回動を前述した所定角度に規制できるものであればよい。
【００２９】
【発明の効果】
以上のように、本発明の鍵盤楽器の鍵盤蓋装置によれば、鍵盤楽器の薄型化・小型化を図ることができ、スムーズに開閉できる。さらに、使い勝手を向上させることができる。
【図面の簡単な説明】
【図１】本発明の第１実施形態に係る鍵盤蓋装置を備えた鍵盤楽器の右部およびその一部を破断した平面図である。
【図２】図１の鍵盤楽器の側断面図である。
【図３】図２の要部を拡大した図である。
【図４】図３の前後の鍵盤蓋を開放した状態を示す図である。
【図５】鍵盤蓋装置の開放動作を示す説明図である。
【図６】本発明の第２実施形態に係る鍵盤蓋装置の要部を拡大した側断面図である。
【図７】図６の前後の蓋を開放した状態を示す図である。
【図８】（ａ）本発明の第３実施形態に係る鍵盤蓋装置の要部を拡大した側断面図と、（ｂ）蓋ストッパの底面図である。
【図９】従来の鍵盤楽器の鍵盤蓋装置を示す側断面図である。
【符号の説明】
１    鍵盤蓋装置
２    電子オルガン（鍵盤楽器）
３    オルガン本体（楽器本体）
７    鍵盤
９    演奏部
１０    支持アーム（支持部材）
１１    前鍵盤蓋
１２    後鍵盤蓋
２０    前蓋ストッパ
２１    後蓋ストッパ
３０    蓋ストッパ
【図１】
0003620988.tif 000002
【図２】
0003620988.tif 000003
【図３】
0003620988.tif 000004
【図４】
0003620988.tif 000005
【図５】
0003620988.tif 000006
【図６】
0003620988.tif 000007
【図７】
0003620988.tif 000008
【図８】
0003620988.tif 000009
【図９】
0003620988.tif 000010